(57)【要約】【課題】水中に投じた後に水中において徐々にタナの位置を調整することができる仕掛用の錘を提供する。【解決手段】この錘は、釣糸１と、釣糸１に連結される浮き２と、浮きよりも先端側において釣糸１に連結される錘４とを含む魚釣りに用いる仕掛け用の錘である。この錘の錘本体４は、釣糸１やハリス５を連結するための釣針・釣糸連結部をする金属線材８と、樽部分６とからなる。樽部分６には砂や石粉などの流体が注入されており、水中に投じられた後に、流体が水中に流れ落ちてゆく。【選択図】      図２
2005013159.tif 000002
【特許請求の範囲】
【請求項１】
釣糸と、前記釣糸に連結される浮きと、前記浮きよりも先端側において前記釣糸に連結される錘とを含む魚釣りに用いる仕掛け用の錘であって、
重さ可変手段を有する本体部と、前記本体部に設けられた前記釣糸を連結するための釣糸連結部と、前記本体部に設けられた前記釣針を連結するための釣針連結部と、
を備えている錘。
【請求項２】
前記本体部は、内部に紛体を収納可能な中空部分を有し、この中空部分の上面に前記粉体を内部の中空に注入するための注入口が形成され、下面に前記粉体が外部に流出するための流出口が形成されており、
前記本体部の中空部分に収納される粉体が重さ可変手段である、請求項１に記載の錘。
【請求項３】
前記流出口を閉塞する水溶性シートが前記流出口に貼り付けられている、請求項２に記載の錘。
【請求項４】
前記本体部には、錘体が結びつけられた水溶性紐体が連結されており、
前記錘体及び水溶性紐体が前記重さ可変手段である、請求項１に記載の錘。
【請求項５】
前記錘体が天然の石である、請求項４に記載の錘。
【発明の詳細な説明】
【０００１】
【発明の属する技術分野】
本発明は、魚釣りの際に用いる仕掛けを作るための錘に関する。
【０００２】
【従来の技術】
魚釣りを行う際には、釣竿の竿体若しくはリールに連結した釣糸の先端に、釣り上げる魚の種類・特性に応じて仕掛けを形成する。一般的には、仕掛けは、釣糸（道糸）に、浮きや仕掛け全体を沈降させるための錘を装着し、さらに釣針を釣糸に連結する。この仕掛用の錘にあっても、噛潰型の錘など多様なものが提供されている（例えば、特許文献１参照）。また、必要に応じて、複数の釣針を用いたり、発光浮きを用いる等、仕掛けには、釣りの状況や対象とする魚の種類に応じて、様々なバリエーションがある。例えば、コマセ釣り用の仕掛けであれば、コマセ餌を収納したコマセ籠を装着することになる（特許文献２参照）。
【０００３】
【特許文献１】
特開２００１−１４８９８３号公報
【０００４】
【特許文献２】
特開平１０−２８６０４９号公報
【０００５】
【発明が解決使用とする課題】
魚を釣り上げる際の１つのポイントとなる点が、タナ（対象とする魚の生存するであろう水深）の調整である。仕掛けの釣針に餌を取り付けて水中に投じても、タナがあっていなければ、狙った魚を釣り上げることはできない。そこで、釣人は仕掛けの錘や浮き・それらの間の距離などを調整して、様々にタナをとりながら、魚釣りを行うのである。
【０００６】
上述のような手法でタナを調整する場合、釣人が調整した目的とするタナを取ることができるが、そのためには、一々仕掛けを水中から引き上げて、仕掛けを調整する必要がある。一回の動作で、連続的にタナを調整しながら釣りをおこなうことはできず、タナの調整は煩雑である。
【０００７】
上述の特許文献２では、コマセ籠からコマセ餌の撒き餌を完了した後に、錘がコマセ籠から落下すると、仕掛けが水面に向かって上昇するような工夫が提案されている。しかし、かかる技術はそもそもタナを調整することを前提とするものではなく、時間と共に連続的にタナを調整することはできない。
【０００８】
本発明は、連続的に様々なタナをとりながら魚釣りをおこなうことができる仕掛け用の錘を提供することにある。
【０００９】
【課題を解決するための手段】
この錘は、釣糸と、前記釣糸に連結される浮きと、前記浮きよりも先端側において前記釣糸に連結される錘とを含む魚釣りに用いる仕掛け用の錘であり、重さ可変手段を有する本体部と、本体部に設けられた前記釣糸を連結するための釣糸連結部と、本体部に設けられた前記釣針を連結するための釣針連結部とを備えている。
【００１０】
この錘は、釣糸連結部に釣糸を連結し、釣針連結部に釣針を連結して用いられる。この錘を含む仕掛けを水中に投じると、水中で重さ可変手段がその重さを軽減してゆく。重さが軽くなった錘は、仕掛けの中の浮きによって、徐々に水面に向かって引き上げられてゆく。そして、錘に連結されている釣針の水面に向かって引きあげられ、徐々にタナが調整される。
【００１１】
本体部は、例えば、内部に紛体を収納可能な中空部分を有するものとすることができる。この中空部分の上面に前記粉体を内部の中空に注入するための注入口が形成され、下面に前記粉体が外部に流出するための流出口が形成される。ここでは、本体部の中空部分に収納される粉体が重さ可変手段である。
【００１２】
まず、釣りをおこなう際には、ユーザは注入口から粉体を本体部の中空部分内に注入しておく。そのまま水中に仕掛けを投じると、下面側の流出口から粉体が徐々に海底に向かってこぼれ落ちてゆく。粉体が徐々にこぼれ落ちた本体部はその重量を徐々に小さくしてゆき、浮きによって水面に引き上げられてゆく。
【００１３】
また、流出口を閉塞する水溶性シートが前記流出口に貼り付けられているようにしてもよい。
水中に投じられた仕掛けにあって、水溶性シートが水に溶けるまでは本体部の中空部分内の粉体は流出口からこぼれ落ちない。従って、シートが水に溶けきるまでは、仕掛け乃至釣針は一定のタナを維持する。水溶性シートが水に溶けると、流出口から粉体がこぼれ落ちだし、徐々に本体部及び釣針は水面へと浮き上がってゆく。
【００１４】
また、別の本体部の例として、錘体が結びつけられた水溶性紐体が連結されているものとしてもよい。ここでは、錘体及び水溶性紐体が重さ可変手段である。水中に投じられた仕掛けにあって、水溶性紐体が水に溶けるまでは、錘体によって本体部乃至釣針は一定のタナを維持する。紐体が水に溶けると錘体が水底に向かって落ち、徐々に本体部及び釣針は水面へと浮き上がってゆく。
【００１５】
なお、この錘体を天然の石とすれば、自然環境に不当な負荷をかけることもない。また、紐体乃至錘体を複数本体部に連結し、それぞれの紐体の太さを異なるものとして、順次紐体が水に溶けてゆくようにしてもよい。
【００１６】
【発明の実施の形態】
［第１実施形態］
以下、図面を参照しつつ、本発明の第１実施形態について説明する。
【００１７】
図１に示す仕掛けは、道糸１と、道糸１の先端に連結される浮き２と、浮き２にさらに連結される釣糸３と、釣糸３に連結される錘本体４と、錘本体４に連結されるハリス５とから構成されている。
【００１８】
浮き２は周知のものを状況に応じて利用すれば足りる。例えば、道糸１に対して浮き止めなどを用いて取り付けるタイプのものを用いてもよい。
図２に示すように、錘本体４は、金属線材８をＬ字型に形成した部分と、この金属線材８に連結されている中空の樽部分６とからなる。金属線材５はＬ型に形成されており、両端がそれぞれリング状に加工されている。この両端がそれぞれ釣糸係止部と釣針係止部である。従って、金属線材７の一端に釣糸３が、他端にハリス５が連結されている。
【００１９】
樽部分６は硬質合成樹脂などから形成される中空の部材である。底面側を水中で水底側に向けるように、金属錘などを底面側に配置してもよい。この樽部分６の上面には注入口６ａが形成され、下面には流出口６ｂが形成されている。それぞれの口の大きさは任意に設定可能であるが、流出口６ｂはできるだけ小さな口径にするのが好ましい。この上面の注入口６ａから砂粉・石粉・ガラス粉などの粉体を投入し、下面の流出口６ｂから粉体がこぼれ落ちるようになっている。
【００２０】
なお、図２に示すように、流出口６ｂには、水溶性シール７を貼り付けて、流出口６ｂを閉塞するようにしても良い。
このような仕掛けを用いて釣りをおこなう場合、ユーザは注入口６ａから粉体を樽部分６内に注入しておく。注入する粉体の量はユーザが任意に設定する。この際、粉体を注入した錘本体４の重さは浮き２の浮力に勝り、当初の段階では、錘本体４と共に浮き２も水中に沈むような状態にしておく。
【００２１】
水中にこの仕掛けを投じると、水溶性シール７を流出口６ｂに貼り付けた場合にはそれが水溶した後に、水溶性シール７を流出口６ｂに貼り付けていない場合には、錘本体４を水中投入後直ちに、錘本体４の樽部分６の下面側の流出口６ｂから粉体が徐々に海底に向かってこぼれ落ちてゆく（図１参照）。粉体が徐々にこぼれ落ちた錘本体４はその重量を徐々に小さくしてゆき、浮き２によって水面に引き上げられてゆく。そして、ハリス５を含めて仕掛けはそのタナを徐々に変化させながら、魚をおびき寄せる。
【００２２】
［第２実施形態］
以下、図面を参照しつつ、本発明の第２実施形態について説明する。
図３に示す仕掛けも、第１実施形態と同様に、道糸１と、道糸１の先端に連結される浮き２と、浮き２にさらに連結される釣糸３と、釣糸３に連結される錘本体１４と、錘本体１４に連結されるハリス５とから構成されている。
【００２３】
図２に示すように、錘本体１４は、直線状の金属線材から周方向に複数の枝が分岐したものである。直線状の部分の両端がそれぞれリング状に加工されている。この両端がそれぞれ釣糸係止部と釣針係止部である。従って、金属線材の一端に釣糸３が、他端にハリス５が連結されている。
【００２４】
分岐している複数の枝の先端もリング状に加工されており、ここに石１１が結びつけられた水溶性紐体１２が連結されている。この水溶性紐体１２は水中において溶けて切断される。この水溶性紐体１２は、それぞれの枝において異なる太さのものを用いることもできる。異なる太さの水溶性紐体１２を用いることで、水中で溶け落ちる時間を変化させることができる。
【００２５】
このような仕掛けを用いて釣りをおこなう場合、ユーザは錘本体１４の枝の先端に必要に応じて水溶性紐体１２及び石１１を結びつける。状況に応じて、１つ若しくは複数の水溶性紐体１２及び石１１を枝の先端に結びつける。この際、石１１を含めた錘本体１４の重さは浮き２の浮力に勝り、当初の段階では、錘本体１４と共に浮き２も水中に沈むような状態にしておく必要がある。
【００２６】
水中にこの仕掛けを投じると、水溶性紐体１２が溶けて、石１１が水底に落ちてゆく。石１１が外れた錘本体１４はその重量を徐々に小さくしてゆき、浮き２によって水面に引き上げられてゆく。そして、ハリス５を含めて仕掛けはそのタナを徐々に変化させながら、魚をおびき寄せる。
【００２７】
［他の実施形態］
（ａ）上記実施形態における粉体を注入する樽部分は、その形状が上記実施形態に限定されるものではない。粉体を注入して内部に蓄えて於けるものであれば足りる。
【００２８】
例えば、図４に示すように、錘本体２０を金属線材で形成し左右に延びる一対の枝を有するものとしておく。左右の一対の枝の先端に砂等の流体を収納した袋状部材２１を結わえ付ける。袋状部材２１には孔が形成されており、ここから砂等の流体が徐々にこぼれ落ちてゆく。若しくは、ビニール製の袋状部材２１に流出口を形成し、水溶性のシールで流出口を封印したものや、水溶性のテープで流出口を縛閉したものなどでもよい。
【００２９】
【発明の効果】
本発明に係る仕掛け用錘によれば、水中に投じた後に水中において徐々にタナの位置を調整することができる。
【図面の簡単な説明】
【図１】本発明の第１実施形態を採用した仕掛けの全体図。
【図２】図１の仕掛けの錘本体４を示した図。
【図３】本発明の第２実施形態を採用した仕掛けの全体図。
【図４】他の実施形態を採用した仕掛けの全体図。
【符号の説明】
１  道糸
２  浮き
４，１４  錘本体
５  ハリス
６  樽部分
７  水溶性シール
８  金属線材
【図１】
2005013159.tif 000003
【図２】
2005013159.tif 000004
【図３】
2005013159.tif 000005
【図４】
2005013159.tif 000006